(57)【要約】【課題】優れた防水機能を備え、収納が容易であると共に、エアバッグまたは被覆層が破損したときいずれかのみを交換でき、資源の節約ができる、防水ゲートの提供。【解決手段】本考案の防水ゲートは、被覆層、鉄片、エアバッグ、エアノズル、開閉部材及び固定ネジから構成され、前記被覆層上に複数のネジ孔が設けられ、固定ネジを前記ネジ孔に穿通して前記被覆層を壁面に固定して用いる防水ゲートであって、そのうち、前記被覆層内に前記エアバッグが設置され、前記エアバッグが飽和状態にあるとき、充填されていない空間を埋めて防水機能を達成することができ、且つ、前記被覆層の片側に前記開閉部材が設けられ、エアバッグの交換に用いられることを特徴とする。【選択図】図３
0003127826.tif 000002
【実用新案登録請求の範囲】
【請求項１】
被覆層、鉄片、エアバッグ、エアノズル、開閉部材及び固定ネジから構成され、前記被覆層上に複数のネジ孔が設けられ、固定ネジを前記ネジ孔に穿通して前記被覆層を壁面に固定して用いる防水ゲートであって、そのうち、前記被覆層内に前記エアバッグが設置され、前記エアバッグが飽和状態にあるとき、充填されていない空間を埋めて防水機能を達成することができ、且つ、前記被覆層の片側に前記開閉部材が設けられ、エアバッグの交換に用いられることを特徴とする構成とした防水ゲート。     
【請求項２】
前記エアバッグの材質がゴム、プラスチック等関連の拡張性を備えた物質である構成とした請求項１に記載の防水ゲート。
【請求項３】
前記被覆層の材質が帆布、プラスチック繊維等関連の防水性を備えた物質である構成とした請求項１に記載の防水ゲート。      
【請求項４】
前記エアバッグ上にエアノズルが設けられ、気体を前記エアバッグ内に注入するときに用いられる構成とした請求項１に記載の防水ゲート。
【請求項５】
前記開閉部材がボタン、ファスナー、面ファスナー等関連の被覆層を開閉できる部材である構成とした請求項１に記載の防水ゲート。        
【考案の詳細な説明】
【技術分野】
【０００１】
本考案は防水ゲートの組み立て構造に関し、詳細には、被覆層の片側に開閉部材が設けられ、エアバッグの交換に用いられると共に、その内部にエアバッグが設置され、エアバッグにはエアノズルが設けられ、このエアノズルが外部へ被覆層まで延伸され、且つ、エアノズルから気体を注入して飽和状態にさせ、充填されていない空間を埋めて緊密さを増し、防水の効果を得ることができる、防水ゲートに関する。
【背景技術】
【０００２】
一般的な従来の防水ゲートは、図１及び図２に示すように、防水ゲートは嵌合凹溝Ａ１及び板体Ａ２から構成される。
【０００３】
嵌合凹溝Ａ１は予めそれぞれ壁面Ａ３の両側に固定され、これにより、使用者が使用するとき、板体Ａ２を嵌合凹溝Ａ１内に入れることができるが、板体Ａ２と嵌合凹溝Ａ１の間にはいかなる密閉物質もないため、防水面での効果が優れない。
【０００４】
このため、いかに上述の問題を排除するかが本考案の解決する技術的問題である。
【考案の開示】
【考案が解決しようとする課題】
【０００５】
本考案の目的は、優れた防水機能を備え、収納が容易であると共に、エアバッグまたは被覆層が破損したときいずれかのみを交換でき、資源の節約ができる、防水ゲートを提供することにある。  
【課題を解決するための手段】
【０００６】
本考案の防水ゲートは、被覆層、鉄片、エアバッグ、エアノズル、開閉部材及び固定ネジから構成され、前記被覆層上に複数のネジ孔が設けられ、固定ネジを前記ネジ孔に穿通して前記被覆層を壁面に固定して用いる防水ゲートであって、そのうち、前記被覆層内に前記エアバッグが設置され、前記エアバッグが飽和状態にあるとき、充填されていない空間を埋めて防水機能を達成することができ、且つ、前記被覆層の片側に前記開閉部材が設けられ、エアバッグの交換に用いられることを特徴とする。
【考案の効果】
【０００７】
本考案の進歩性と実用性をよりはっきりと示すため、以下、従来品と比較して分析する。
《従来品の欠点》
一、            
嵌合凹溝と板体間に密閉物質がないため、防水性に優れない。
二、            
板体が一体成形で成り体積が大きすぎるため、収納が容易でない。
《本考案の利点》
一、            
被覆層と壁面間を密閉する物質が設けられており、防水機能が向上される。
二、            
被覆層が軟性物質であるため、収納が容易で便利である。
三、            
被覆層に開閉部材が設けられており、エアバッグまたは被覆層が破損したとき随時いずれかを交換することができ、資源の節約になる。
四、            
進歩性と実用性を備えている。
五、            
産業的競争力を向上できる。        
【考案を実施するための最良の形態】
【０００８】
本考案について、以下図面、符号及び実施例に基づき詳細に説明する。本考案の防水ゲートは、図３及び図４に示すように、防水ゲートＢが被覆層Ｂ１、エアノズルＢ２、鉄片Ｃ、ネジ孔Ｃ１及び固定ネジＣ２から構成される。
【０００９】
前記被覆層Ｂ１は内部にエアバッグＤが設置され、そのうち、エアバッグＤ上にはエアノズルＢ２が設けられ、且つ、このエアノズルＢ２は被覆層Ｂ１の外部へと延伸され、エアノズルＢ２から気体をエアバッグＤ内に飽和状態になるまで充填することができ、さらに前記被覆層Ｂ１の両側及び下側の側縁部に複数の孔Ｂ４が設けられ、且つ、孔Ｂ４を何度も使用しても破損に至らないようハトメＢ３が嵌入されると共に、上側には複数の開閉部材Ｂ５が設置され、エアバッグＤの着脱に用いられる。
【００１０】
被覆層Ｂ１の孔Ｂ４は壁面上に固定することができないため、鉄片Ｃをその固定媒介とする必要があり、鉄片Ｃ上には複数のネジ孔Ｃ１が設けられ、被覆層Ｂ１上の孔Ｂ４と相互に対応させる。
【００１１】
これにより、使用者が防水ゲートＢを使用するとき、被覆層Ｂ１は鉄片ＣとパッドＥを利用して壁面に固定することができ、防水ゲートＢの防水効果を強化することができる。
【００１２】
本考案の防水ゲートの実施方法は、図４、図５及び図６に示すように、被覆層Ｂ１の両側及び下側に複数の孔Ｂ４が設けられ、且つ各孔B４にはハトメＢ３が嵌め込まれ、使用者が使用するときは、鉄片Ｃ上の複数のネジ孔Ｃ１と被覆層Ｂ１上の複数の孔Ｂ４を相互に対応させると共に、被覆層Ｂ１と壁面Ｆ間にはパッドＥが設けられ、固定ネジＣ２を孔Ｂ４、ネジ孔Ｃ１及びパッドＥに穿通させて壁面Ｆにねじ込み、そのうち、被覆層Ｂ１上側には複数の開閉部材Ｂ５が設けられ、エアバッグＤの交換時に用いることができ、またエアバッグD或いは被覆層Ｂ１が破損したとき随時いずれかを交換可能であるため、資源の節約ができる。
【００１３】
図７に示すように、被覆層Ｂ１上にはエアノズルＢ２が設置され、そのうち、エアノズルＢ２は被覆層Ｂ１内のエアバッグＤに接続され、使用時には、エアノズルＢ２から気体ＧをエアバッグＤ内に注入して飽和状態にさせ、被覆層Ｂ１と壁面Ｆの充填されていない空間を埋め緊密さを増すことができ、防水の効果が得られる。
【００１４】
また、被覆層Ｂ１の材質は帆布、プラスチック繊維等、関連の防水を備えた軟性物質とし、被覆層Ｂ１も軟性物質であるため収納に便利で空間を占有しにくい。
【００１５】
被覆層Ｂ１と壁面Ｆを緊密にすることができないため、その間にパッドＥを設置して緊密度を増強し、そのうち、パッドＥの材質はゴム、プラスチック等関連の緊密性と軟性を備えた物質とする。
【００１６】
以上で述べた説明は本考案の最良の実施例に基づくものであり、本考案の特許範囲を制限するものではなく、本考案の明細書及び図面の内容を運用した同等効果を得る構造を直接または間接的にその他関連技術領域に運用したものはすべて、本考案の要旨の範囲内に属するものと見なす。
【００１７】
上述のように、本考案は先行技術を打破する構造の下、確実にその増進を図る効果を達成することができ、且つ、関連技術を熟知した者が容易に思い付くものではなく、さらに、本考案はその出願以前に公開されたことがなく、進歩性と実用性を備えており、実用新案登録出願の要件を満たしているため、法に基づきここに実用新案登録を出願するものである。
【図面の簡単な説明】
【００１８】
【図１】従来品の立体外観図である。
【図２】従来品の実施例の立体斜視図である。
【図３】本考案の立体外観図である。
【図４】本考案の立体分解図である。
【図５】本考案を壁に取り付けた状態を示す立体斜視図である。
【図６】本考案を壁に取り付けた状態の側面断面図である。
【図７】本考案を壁に取り付け気体を注入する動作を示す側面断面図である。
【符号の説明】
【００１９】
Ａ        従来の防水ゲート
Ａ１      嵌合凹溝
Ａ２      板体
Ａ３、Ｆ    壁面
Ｂ        防水ゲート
Ｂ１      被覆層
Ｂ２      エアノズル
Ｂ３      ハトメ
Ｂ４      孔
Ｂ５      開閉部材
Ｃ        鉄片
Ｃ１      ネジ孔
Ｃ２      固定ネジ
Ｄ        エアバッグ
Ｅ        パッド
Ｇ        気体
【図１】
0003127826.tif 000003
【図２】
0003127826.tif 000004
【図３】
0003127826.tif 000005
【図４】
0003127826.tif 000006
【図５】
0003127826.tif 000007
【図６】
0003127826.tif 000008
【図７】
0003127826.tif 000009